【事件の表示】
　特許第２８２２８２６号「ホログラム付き透明保護シール」の請求項１、２に係る特許に対する特許異議の申立てについて、次のとおり決定する。
【結　論】
　訂正を認める。
　特許第２８２２８２６号の請求項１ないし２に係る特許を維持する。
【理　由】
１．　本件は、特許第２８２２８２６号に関しその受けた特許の取り消しを請求して提起した異議申立事件に存する。
　
２．　本件の出願手続きを含む手続きの経緯の概要は以下のとおりである。
１）　出　願　日：平成５年１月７日
２）　特　許　日：平成１０年９月４日
３）　特許公報　：平成１０年１１月１１日発行
４）　異議の申立：平成１１年４月２７日特許異議申立人大日本印刷株式会　　　　　　　　　社より、異議申立
５）　取消の理由：平成１１年７月１２日当審より取消理由を通知
６）　訂正請求等：平成１１年９月２１日特許権者より意見書と共に訂正請　　　　　　　　　求
　
３．　訂正適否の判断
　上記訂正請求の内容は、以下のとおりである。
訂正事項１）
　特許時の特許請求の範囲である
　「【請求項１】透明基材シート１の一面に剥離性透明樹脂層２と、ホログラム層３と、接着剤層５とをこの順に積層し、前記ホログラム層３はその一面にホログラムエンボス層３ａを備え、該エンボス層３ａに光反射性の透明蒸着層４を備えたことを特徴とするホログラム付き透明保護シール。
【請求項２】前記透明基材シート１の他面側には、少なくともその一部分に適宜情報表示部１１が施され、該表示部１１には必要に応じて所望のデータ情報１２が記録表示されていることを特徴とする請求項１に記載のホログラム付き透明保護シール。」を、
　『【請求項１】　透明基材シート１の一面に剥離性透明樹脂層２と、ホログラム層３と、接着剤層５とをこの順に積層し、前記ホログラム層３はその層の剥離性透明樹脂層２側又は接着剤層５側の一面にホログラムエンボス面３ａを備え、該エンボス面３ａに光反射性の透明蒸着層４を備え、前記剥離性透明樹脂層２はホログラムエンボス面３ａに対して反対面又はエンボス面３ａ側に設けられていることを特徴とするホログラム付き透明保護シール。
【請求項２】　前記透明基材シート１の前記剥離性透明樹脂層２に対して反対面には、少なくともその一部分に適宜情報表示部１６が施され、該表示部１６には必要に応じて所望のデータ情報１７が記録表示されていることを特徴とする請求項１に記載のホログラム付き透明保護シール。』
と訂正するものである。
訂正事項２）
  上記特許請求の範囲の訂正に対応して、これ等の記載に整合するように、
ｉ）　明細書の発明の詳細な説明の項における段落番号【０００５】、【００１１】、【００１３】、【００１４】、【００１７】、【００１９】、【００２０】、【００２５】の記載並びに
ｉｉ）　図面の簡単な説明の項における【図２】の記載を、
　それぞれ、全文訂正明細書の各対応する段落番号の記載並びに図に対応する記載のとおり、訂正するものである。
　［訂正適否の判断］
１）−（ｉ）　上記訂正事項１）における【請求項１】に係る記載について
　訂正前の【請求項１】に記載の「前記ホログラム層３はその一面に」における「その一面」とは、「ホログラム層３の剥離性透明樹脂層２側又は接着剤層５側のいずれか一面」であることは明白であり、訂正前の本願明細書に記載された事項の範囲内の訂正であって、明細書の特許請求の範囲の請求項１の文章中「前記ホログラム層３はその一面に」とあるを、「前記ホログラム層３はその層の剥離性透明樹脂層２側又は接着剤層５側の一面に」と訂正することは、本願明細書の特許請求の範囲の請求項１に関する明りょうでない記載の釈明である。
　また、同じくその「エンボス層３ａ」について言及するに、段落番号【００１１】中の第１行目〜第２行目に、「前記ホログラム層３面に施される前記ホログラムエンボス面３ａ及びエンボス面３ａに施される光反射性の透明な蒸着層４」との記載があり、また【符号の説明】中に、「３ａホログラムエンボス面」と記載されていることから、正しくは「エンボス面３ａ」と記載してしかるべきところ、誤って「エンボス層３ａ」と記載した誤記であることは明白であり、明細書の特許請求の範囲の請求項１の文章中「ホログラムエンボス層３ａを備え、該エンボス層３ａに」という記載を、「ホログラムエンボス面３ａを備え、該エンボス面３ａに」と訂正することは、本願明細書の特許請求の範囲の請求項１に関する誤記の訂正である。
　さらに、本願明細書の段落番号【００１１】の文章中、第１行目〜第４行目に「なお前記ホログラム層３面に施される前記ホログラムエンボス面３ａ及びエンボス面３ａに施される光反射性の透明な蒸着層４は、一実施例においては、図１に示すように剥離性透明樹脂層２とは反対側のホログラム層３面に形成される」とあり、また同第４行目〜第７行目に「例えば図２に示すように，剥離性透明樹脂層２側の前記ホログラム層３表面にホログラムエンボス面３ａを施し、該エンボス面３ａ側より、ホログラムエンボス形状（凹凸形状）を変形しない程度の薄膜上の透明な光反射性の蒸着層４を形成してもよい。」とあり、また、図１〜図２にも示されていることから、剥離性透明樹脂層２は、ホログラム層３のエンボス面３ａに対して反対面、又はホログラム層３のエンボス面３ａ側に設けられていることは明白であって、明細書の特許請求の範囲の請求項１の文章中「光反射性の透明蒸着層４を備えた」とあるを、「光反射性の透明蒸着層４を備え、前記剥離性透明樹脂層２はホログラム層３のエンボス面３ａに対して反対面又はエンボス面３ａ側に設けられている」と訂正することは、出願当初の明細書に記載された事項の範囲内の訂正である。
  そして、斯かる訂正事項により、特許請求の範囲を実質上拡張し、又は変更するものには当たらないことは明らかというべきである。
１）−ｉｉ）　同じく【請求項２】に係る記載について
　本願訂正前の明細書の特許請求の範囲の請求項２の文章中、「前記透明基材シート１の他面側には、」とあるを「前記透明基材シート１の前記剥離性透明樹脂層２側に対して反対面には、」と訂正することは、本願明細書の段落番号【００１６】の文章中の第１行目〜第３行目、及びその文章に参照される図３に図示されるとおり、透明基材シート１の剥離性透明樹脂層２側に対して反対面の一部分に、適宜情報表示部１６が施され、該表示部１６には所望のデータ情報１７が記録表示されていることは明白であり、訂正前の本願明細書に記載された事項の範囲内の訂正であって、本願明細書の特許請求の範囲の請求項２の記載に関する明りょうでない記載の釈明である。
　また、訂正前の本願明細書の特許請求の範囲の請求項２の文章中「適宜情報表示部１１」、「該表示部１１」、「所望のデータ情報１２」とあるを、それぞれ「適宜情報表示部１６」、「該表示部１６」、「所望のデータ情報１７」と訂正することは、図３を参照して請求項２に関して詳述した明細書の段落番号【００１６】の記載事項から、「情報表示部」に付すべき符号は「１６」であり、また「データ情報」に付すべき符号は「１７」であることは明白であり、本願明細書の特許請求の範囲の記載に関する誤記の訂正というべきである。
　そして、これ等の訂正により、実質上特許請求の範囲を拡張し又は変更するものでないことも明らかというべきである。
２）　訂正事項２）について
   上記訂正事項２）に係る訂正内容は、当初の願書に添付した明細書・図面に記載された範囲内の訂正であり、上記特許請求の範囲の記載の訂正に伴って発明の詳細な説明の項の記載を整合させるべく訂正したものであって、明りょうでない記載の釈明及び誤記の訂正に相当し、これ等により、特許請求の範囲を拡張し又は変更するものではないことは明らかに是認されるところである。
 よって、この訂正請求は、法の趣旨に適合するものである（なお、いわゆる独立特許要件については、下記４．〜７．を参照。）。
　
４．　異議申立人の主張
　特許異議申立人　大日本印刷株式会社は、証拠方法として、
１）　第１引用例：「実願昭６０−１３４９９０号（実開昭６２−４３３７８号）のマイクロフィルム」（甲第１号証）
２）　第２引用例：「特開昭６１−２７２７７２号公報」（甲第２号証）
を、提出して
　「本件第１特許発明は、本願出願前に国内において頒布された甲第１号証に記載された発明であり、本件特許は特許法第２９条第１項第３号の規定に違反して特許がされたものである。したがって、本件特許は、同法第１１３条第１項第２号の規定に該当するので、同法第１１４条第２項の規定により取り消されるべきものである。
　　仮に、本件第１特許発明か甲第１号証に記載された発明でないとしても、本件第１特許発明は、甲第１号証に記載された発明に基づいて当業者が容易に発明をすることができたものであり、本件特許は、特許法第２９条第２項の規定に違反して特許がされたものであるので、同法第１１３条第１項第２号の規定に該当し、同法第１１４条第２項の規定により取り消されるべきものである。
　　また、本件第２特許発明は、この出願前日本国内において頒布された甲第１号証及び甲第２号証に記載された発明に基づいて当業者が容易に発明をすることができたものであり、本件特許は、特許法第２９条第２項の規定に違反して特許がされたものであるので、同法第１１３条第１項第２号の規定に該当し、同法第１１４条第２項の規定により取り消されるべきものである」
旨、主張する。
　
５．　本件特許請求の範囲の【請求項１〜２】に係る発明は、訂正請求の結果以下のとおりの構成のものである。
「【請求項１】　透明基材シート１の一面に剥離性透明樹脂層２と、ホログラム層３と、接着剤層５とをこの順に積層し、前記ホログラム層３はその層の剥離性透明樹脂層２側又は接着剤層５側の一面にホログラムエンボス面３ａを備え、該エンボス面３ａに光反射性の透明蒸着層４を備え、前記剥離性透明樹脂層２はホログラムエンボス面３ａに対して反対面又はエンボス面３ａ側に設けられていることを特徴とするホログラム付き透明保護シール。
【請求項２】　前記透明基材シート１の前記剥離性透明樹脂層２に対して反対面には、少なくともその一部分に適宜情報表示部１６が施され、該表示部１６には必要に応じて所望のデータ情報１７が記録表示されていることを特徴とする請求項１に記載のホログラム付き透明保護シール。」
　
６．　上記甲号各証の記載
１）　上記第１引用例には、以下の事項が、図面と共に記載されている。　
イ）　「ホログラム形成層２にレリーフホログラムを上記のような賦型可能な合成樹脂を使用して設けるには、従来既知の方法が利用できる。レリーフホログラムを形成するための型としては、
（１）　ホログラムの干渉縞が凹凸の形でフォトレジスト上に、露光及び現像により形成されているもの、
（２）　上記（１）の凹凸のある側（型面）に、銀めっき及びニッケルめっきを行う等により、上記（１）の凹凸が複製された金型、および
（３）　上記（１）もしくは（２）の型の型面の凹凸を合成樹脂で複製した樹脂型等
のいずれでも使用でき、これらの型は適宜な手段で多数複製して適当な配列を行って複合型とし、一回の賦型工程で多くのレリーフホログラムが複製できるようにするとよい。なお、合成樹脂で型を作る際には、型の耐摩耗性、熱プレスするときは型の耐熱性を向上させる意味で、熱硬化性もしくは電離放射線硬化性の硬化性の合成樹脂を型の材料として使用するのがよい。
　なお、ホログラム形成層２に凹凸の形で設けるホログラムとしては、リップマンホログラムを除く、フレネルホログラム、フーリエ変換ホログラム、フランホーファーホログラムなどの原理のものに及び、それらの原理を利用したイメージホログラム、レインボーホログラム、ホログラフィックステレオグラム、ホログラフィック回折格子などが用いられる。このホログラム形成層は、ラベル剥離時に脆質接着剤層と共に容易に破断する必要があり、厚みは、０．４〜４ μ程度とするのがよい。
　　反射性金属薄膜層３はホログラム形成層２のホログラムに反射性を与えるものであって、Ｃｒ、Ｔｉ、Ｆｅ、Ｃｏ、Ｎｉ、Ｃｕ、Ａｇ、Ａｕ、Ｇｅ、Ａｌ 、Ｍｇ、Ｓｂ、Ｐｂ、Ｐｄ、Ｃｄ、Ｂｉ、Ｓｎ、Ｓｅ、Ｉｎ、Ｇａ、Ｒｂ　などの金属およびその酸化物、窒化物などを単独もしくは２種以上組合せて用いて形成される。これらの金属のうち Ａｌ、Ｃｒ、Ｎｉ、Ａｇ、Ａｕ などが特に好ましい。
　　反射性金属薄膜層３は蒸着、スパッタリング、イオンプレーティング、ＣＶＤなどの方法や、めっきによって形成でき、その厚みは２００〜１０００Åであることが好ましい。
　　あるいは上記のような金属、金属酸化物、もしくは金属窒化物の単独もしくは組合せの薄膜以外に、ホログラム形成層２とは異なる屈折率を持つ物質の連続薄膜を設けても、このような膜自体は透明であるにも拘らず、反射性金属薄膜層として使用できる。」（明細書第１２頁２行〜第１４頁８行目）
ロ）　「本考案におけるホログラムは上記のようにホログラムの凹凸を下面に有するホログラム形成層２および、ホログラム形成層の下面の反射性金属薄膜層３とを原則的に有しているが、ホログラムの凹凸を上面に有するホログラム形成層と、ホログラムの凹凸の上に接して、もしくはホログラムの凹凸のない方の面に接して設けられた反射性金属薄膜層とから成っていてもよい。」（明細書第１８頁３行〜１０行目）
ハ）　「ここで一つの有効な手段はホログラム形成層を単一の層ではなく、透明な支持体にホログラム形成樹脂層を積層した積層体として構成することである。例えば、透明な支持体６に合成樹脂を塗布、溶融塗布、もしくはラミネート等の積層手段により積層し、その後ホログラムを賦型するか、或いは積層と共にホログラムを賦型することにより、レリーフホログラムの形成が容易になり、取り扱いも容易になる上、支持体６はラベルとして使用する際にはホログラム形成樹脂層７の保護層となりうる。
　ここで支持体６としては上記のような機能を有するものであれば何でもよが、通常はプラスチックフィルムの透明なものを用いるのがよく、」
 （明細書第２３頁１行〜１４行目）
ニ）　「第４図に示すものは第３図に示すものの変形例であり、支持体６とホログラム形成樹脂層７の間に剥離層８を有しており、このようにすると、ラベルを被着体にラミネートした後、支持体６をはがし、支持体６によってホログラムの効果が若干低下することが防止できる。
　ここで剥離層８は剥離の際に層６側、層７側のいずれに付着してもよく、又、層８の層間で剥離してもよい。層７側に付着する場合は、剥離層８をホログラム形成樹脂層の保護層とすることもできる。なお、支持体６が元来、剥離性を有しているならば、剥離層８を省略することもできる。」
　（明細書第２４頁４行〜１６行目）
２）　同じく上記第２引用例には、以下の事項が図面と共に記載されている。
イ）　「表示部２は視覚に訴えることのできるもの全般を指し、内容的には特定の意味を有するものでも有しないものでもよく、また機能的にはデザイン、外観装飾を目的とするものでも或いは情報を目的とするものでもよい。このような表示部としては例えば、文字、数字、記号、図形、模様、地綾等の画像；バーコード、ＯＣＲ、ＭＩＣＲ、ビットデータ等の機器読取情報；指紋、顔写真、サイン等の個人識別情報；登録商標等の識別標識；社名印、登録印等の認証表示等が挙げられる。また表示部は、任意色相のべタ印刷により設けた連続印刷層であってもよい。」（公報第７頁下段左欄３行〜１４行目）
ロ）　「上記の如く構成されるホログラムラベル１１は適当な大きさに切断形成され、剥離紙１４を剥がして支持体１上に粘着剤層１３を介して貼付することにより透明型ホログラム３を支持体１上に設けることができる（第６図）。」（公報第９頁上段右欄８行〜１２行目）
　
７．　対比・判断
（１）　【請求項１】に係る発明に対して
　第１引用例に記載されている「ホログラム形成層２」、「脆質接着剤層４」及び「反射性金属薄膜層」は、その構成と機能に徴し、本件【請求項１】に係る発明の「ホログラム層」、「接着剤層」及び「光反射性の透明蒸着層」に、それぞれ相当している。  
　そして、第１引用例に記載のホログラム層の「凹凸のある型面」は、【請求項１】に係る発明の「ホログラムエンボス面」に相当するものであることは明らかである。
（なお、第１引用例に記載の上記「脆質接着剤層４」は、【請求項１】に係る発明の「剥離性透明樹脂層」の機能をも併有しているというべきである。）
　また、第１引用例に記載された「ホログラムラベル」も証券等の表面の一部に貼り付け使用するものであり、剤の選択によって殆ど透明性を誘導できるから、本件【請求項１】に係る発明の「ホログラム付き透明保護シール」に、相当していると捉えられる。
　そうすると、第１引用例には、
「ホログラム層と、接着剤層（兼剥離性層）とをこの順に積層し、前記ホログラム層はその層の接着剤層側の一面にホログラムエンボス層を備え、該エンボス層に光反射性の透明蒸着層を備えたホログラム付き透明保護シール。」
が、開示されているものというべきであり、これが、
本件【請求項１】に係る発明と第１引用例に記載された発明との一致点というべきである。
　そこで、本件【請求項１】に係る発明と第１引用例に記載の発明とを比較すると、
ｉ）　本件【請求項１】に係る発明は、透明基材シートの一面に剥離性透明樹脂層を積層してあるのに対して、
　第１引用例に記載の発明においては、抑も「透明基材シート」は存在せず、また、これの一面に積層するべき剥離性透明樹脂層に関するは構成は、一切見いだされない点
ｉｉ）　本件【請求項１】に係る発明は、
　透明基材シート１、剥離性透明樹脂層２、一面にホログラムエンボス面３ａを備えたホログラム層３、接着剤層５とをこの順に積層し、
該エンボス面３ａに光反射性の透明蒸着層４を備え、前記剥離性透明樹脂層２はホログラムエンボス面３ａに対して反対面又はエンボス面３ａ側に設けられているのに対して、
第１引用例に記載の発明にあっては、
透明基材シートが存しないから、二番目の積層での剥離はなされず、剥離を誘う部分は、最下部の接着剤層においてされる点
において、
　それぞれ、相違している。
　そこで、これ等の相違点につき、審案する。
イ）　第１の相違点ｉ）について
　本件【請求項１】に係る発明は、透明基材シート１が存在すことにより、次の積層部分である剥離性透明樹脂層で破壊が誘導されること、この透明基材シートが存すればこそ他の加工性の良好な樹脂素材を以てホログラム層を形成することが可能であり、且つこの基材シートを以て情報表示部の形成基板となし得るという効果が、期待できる。
　他方、第１引用例に記載の発明からは、斯かる効果は、期待することができない。
ロ）　第２の相違点ｉｉ）について
　本件訂正後の【請求項１】に係る発明は、この点における構成に伴い、　
「上記図１，図２に示す本発明のシールＳを、所定の被着体から剥離した場合には、脆弱性の剥離性透明樹脂層２が先ず凝集破壊して透明基材シート１とホログラム層３との間で剥離が生じ、あるいは、脆弱性はないがホログラム層３に対して接着性の弱い剥離性透明樹脂層２が先ずホログラム層３との間で剥離する。
　したがって、本発明シールＳは、ホログラム層３から脆弱性の前記剥離性透明樹脂層２が一旦剥離されると、元に戻しても該剥離性透明樹脂層２内部は細かいクラックや破損を生じて透明性を失い、シール表面に照明されたホログラム画像再生用照明光Ｌ（レーザー光、自然光、白色光等のインコヒーレント又はコヒーレントな可視光）は、剥離性透明樹脂層２内部を透過する際に光の散乱を生じ、また、照明によってホログラム層３の光反射性の透明な蒸着層４で反射した反射ホログラム干渉光にも散乱を生じ、再生されるホログラム画像は明確な画像として確認が困難になり、再度接着しようとしても元の光学特性（透明性）に修復することは難しいため、剥離したことが容易に判明できる。
　また、図２に示す本発明の他の実施例のシールＳにおいては、ホログラム層３から一旦剥離した接着性の弱い剥離性透明樹脂層２は再度ホログラム層３の微細なエンボス面３ａに対して密着させて整合しようとしても微細エンボス面３ａの凹凸が完全には合致せず、従って整合が困難であり、接着により修復ようとしても復元は困難である。」（訂正後の明細書段落番号【００２３】〜【００２５】参照）という、格別の効果を奏する。
　他方、第１引用例に記載の発明をもっては、斯様な効果は期待できない。
　このように、訂正後の本件【請求項１】に係る発明は、構成において第１引用例に記載された発明と大幅に懸隔し、よってもたらされる効果において格別に相違するものであるところ、訂正後の本件【請求項１】に係る発明は、第１引用例に記載された発明であるとは認められないのみならず、このものに基づいて当業者が、容易に想到することができたものとすることもできない。
（２）　訂正後の【請求項２】に係る発明について
　本件訂正後の【請求項２】に係る発明は、上記請求項１に係る発明を基本的構成要件として、その剥離性透明樹脂層２に対して反対面に、所望のデータ情報が記録表示された情報表示部が施されたものである。
　なるほど、透明ホログラム付き保護シールの透明支持体上に、何らかのデータ情報が記録表示されている情報表示部が施された発明は、第２引用例に記載された発明に見られるとおり、この出願前公知である。
　しかしながら、本件訂正後の【請求項２】に係る発明は、あくまでも訂正後の【請求項１】に係る発明の構成要件を前提としてその上でさらに、
 「 所望のデータ情報が記録表示されている情報表示部が、透明基材シートの剥離性透明樹脂層に対して反対面に施された」というものである。
 上記において既に審案したとおり、訂正後の【請求項１】に係る発明につき、上記第１引用例に記載の発明に基づいて当業者が容易に想到することを得たものとすることが出来なかったものであるところ、まして訂正後の【請求項２】に係る発明につき、上記第１、第２の各引用例に記載された発明に基づいて当業者が容易に想到することを得た限りではないといってしかるべきである。
　なお、訂正後の【請求項２】に係る発明は、その構成により、明細書の発明の詳細な説明の項に記載されたとおりの特有の効果を奏するものである。
　他方、前掲第１、第２の各引用例に記載された発明の寄せ集めを以てしては、斯かる効果は期待することができない。
　
８．　結び 
　 以上のとおりであるから、異議申立人の提出した証拠及びその主張する理由を以ては、本件訂正後の【請求項１〜２】に係る発明につき受けた特許を取り消すことは出来ない。
　なお、外に本件訂正後の【請求項１〜２】に係る発明につき受けた特許を取り消すべきものとする理由を発見しない。
　よって、結論のとおり決定する。
【異議決定日】
平成１２年１２月１８日（２０００．１２．１８）
【訂正の要旨】
６−（３）訂正事項
１）明細書の特許請求の範囲の請求項１の文章中、
　「前記ホログラム層３はその一面にホログラムエンボス層３ａを備え、該エンボス層３ａに光反射性の透明蒸着層４を備えた」とあるを、「前記ホログラム層３はその層の剥離性透明樹脂層２側又は接着剤層５側の一面にホログラムエンボス面３ａを備え、該エンボス面３ａに光反射性の透明蒸着層４を備え、前記剥離性透明樹脂層２はホログラム層３のエンボス面３ａに対して反対面又はエンボス面３ａ側に設けられている」と訂正する。
２）明細書の特許請求の範囲の請求項２の文章中、
　「前記透明基材シート１の他面側には、」とあるを「前記透明基材シート１の前記剥離性透明樹脂層２に対して反対面には、」と訂正する。
３）明細書の特許請求の範囲の請求項２の文章中、
　「適宜情報表示部１１」、「該表示部１１」、「所望のデータ情報１２」とあるを、それぞれ「適宜情報表示部１６」、「該表示部１６」、「所望のデータ情報１７」と訂正する。
４）明細書の段落番号【０００５】の文章中、
　「前記ホログラム層３はその一面にホログラムエンボス層３ａを備え、該エンボス層３ａに」とあるを、「前記ホログラム層３はその層の剥離性透明樹脂層２側又は接着剤層５側の一面にホログラムエンボス面３ａを備え、該エンボス面３ａに」と訂正する。
５）明細書の段落番号【００１１】の文章中、
　「例えば図２（ａ）に示すように、剥離性透明樹脂層２側の前記ホログラム層３表面にホログラムエンボス面３ａを施し、接着剤層５側の前記ホログラム層３面に蒸着層４を施すか、又は、図２（ｂ）に示すように、剥離性透明樹脂層２側の前記ホログラム層３表面にホログラムエンボス面３ａを施し、該エンボス面３ａ側より、ホログラムエンボス形状（凹凸形状）を変形しない程度の薄膜状の透明な光反射性の蒸着層４を形成したものでもよい。」とあるを、「例えば図２に示すように、剥離性透明樹脂層２側の前記ホログラム層３表面にホログラムエンボス面３ａを施し、該エンボス面３ａ側より、ホログラムエンボス形状（凹凸形状）を変形しない程度の薄膜状の透明な光反射性の蒸着層４を形成したものでもよい。」と訂正する。
６）明細書の段落番号【００１３】の文章中、
　「図２（ａ），（ｂ）において」とあるを、「図２において」と訂正する。
７）明細書の段落番号【００１４】の文章中、
　「所定の書類１３（被接着体）面に」とあるを、「所定の書類１４（被接着体）面に」と訂正する。
８）明細書の段落番号【００１７】の文章中、
　「本発明シールＡの真偽」とあるを、「本発明シールＳの真偽」と訂正する。
９）明細書の段落番号【００１９】の文章中、
　「シールＡ表面」とあるを、「シールＳ表面」と訂正する。
１０）明細書の段落番号【００２０】の文章中、
　「シールＡ」とあるを、「シールＳ」と訂正する。
１１）明細書の段落番号【００２５】の文章中、
　「また、ホログラム層３から」とあるを、「また、図２に示す本発明の他の実施例におけるシールＳにおいては、ホログラム層３から」と訂正する。
１２）明細書の【図面の簡単な説明】の文章中、
　「【図２】
　　（ａ）は本発明のホログラム付き透明保護シールの他の実施例の側断面図であり、（ｂ）は本発明のホログラム付き透明保護シールのその他の実施例の側断面図である。」とあるを、
　「【図２】
　　本発明のホログラム付き透明保護シールの他の実施例の側断面図である。」と訂正する。
１３）明細書に添付する図面「図２（ａ）」を削除し、同添付する図面「図２（ｂ）」の図番を「図２」に訂正する。
（５４）【発明の名称】
ホログラム付き透明保護シール
（５７）【特許請求の範囲】
　【請求項１】
　透明基材シート１の一面に剥離性透明樹脂層２と、ホログラム層３と、接着剤層５とをこの順に積層し、
前記ホログラム層３はその層の剥離性透明樹脂層２側又は接着剤層５側の一面にホログラムエンボス面３ａを備え、該エンボス面３ａに光反射性の透明蒸着層４を備え、前記剥離性透明樹脂層２はホログラム層３のエンボス面３ａに対して反対面又はエンボス面３ａ側に設けられている
　【請求項２】
　前記透明基材シート１の
前記剥離性透明樹脂層２に対して反対面
１６
１６
１７
【発明の詳細な説明】
　【０００１】
　【産業上の利用分野】
　本発明は、ホログラム画像を備えた透明保護シールに関し、シールを剥離することによりホログラム画像が破壊されて再使用が不可能となるようにしたホログラム付き透明保護シールに関する。
　【０００２】
　【従来の技術】
　従来より、身分証明書等の書類に貼着された顔写真や、預金通帳等の書類に押された押印部分の上から透明なシートを重ね合わせて接着する透明保護シールがあり、図５（ａ）に示すように、透明基材シート１１の裏面に感圧接着剤などによる透明接着剤層１２を備えたこれら透明保護シールＳは、図５（ｂ）の側断面図、図５（ｃ）の平面図に示すように、書類１３に貼着された写真Ｐ表面に接着剤層１２を介して貼着して、写真や押印表面が損傷したり汚損を生じないように摩擦や衝撃から保護するものである。
　【０００３】
　【発明が解決しようとする課題】
　上記のような従来の透明保護シールにあっては、書類面より比較的容易に剥離することができ、また該保護シールは単なる透明な合成樹脂シートやフィルムによる透明基材シート１１により作られたものが大部分であり、そのため、該保護シールだけでは写真の貼り替え等による書類の不正使用を防止することがなかなか困難であって、不正使用に対する早期発見、確認の即応性に欠けるものであった。
　【０００４】
　本発明は、ホログラム画像を備えた透明保護シールであって、剥離することによってホログラム画像が破壊されて、不正使用されたものであるか否かを容易に判定できるようにすることにある。
　【０００５】
　【課題を解決するための手段】
　本発明は、透明基材シート１の一面に剥離性透明樹脂層２と、ホログラム層３と、接着剤層５とをこの順に積層し、
前記ホログラム層３はその層の剥離性透明樹脂層２側又は接着剤層５側の一面にホログラムエンボス面３ａを備え、該エンボス面３ａに光反射性の透明蒸着層４を備え、前記剥離性透明樹脂層２はホログラム層３のエンボス面３ａに対して反対面又はエンボス面３ａ側に設けられている
　【０００６】
　【実施例】
　本発明シールを実施例に従って詳細に説明すれば、図１は本発明シールの一実施例を示す一実施例の側断面図であり、透明基材シート１は、ポリ塩化ビニル、ポリスチレン、ポリエチレン、ポリプロピレン、ポリカーボネート、アクリル、飽和ポリエステル等、あるいはこれらの複合樹脂等の熱可塑性プラスチックフィルム、若しくはポリウレタン、不飽和ポリエステル等を主体とする熱硬化性プラスチックフィルム、又はアクリル系ゴム、フッ素系ゴム等の樹脂フィルムが使用でき、使用する樹脂フィルムの厚さは適宜設定できるが、例えば０．０２ｍｍ〜０．２ｍｍ程度が適当である。
　【０００７】
　上記透明基材シート１の一面に積層される剥離性透明樹脂層２は、前記透明基材シート１を構成する樹脂と、次に積層されるホログラム層３を構成する樹脂とのいずれか一方の樹脂に対しては接着力があって、他方の樹脂に対しては比較的接着力の低い透明樹脂が用いられる。なお前記透明基材シート１に対して接着力の低い樹脂としては、ニトロセルロース、アセチルセルロース、セルロースアセテートブチレート、あるいは、ポリ塩化ビニル、ポリスチレン、ポリエチレン、ポリプロピレン、ポリカーボネート、アクリル、飽和ポリエステル等、あるいはこれらの複合樹脂等熱可塑性プラスチックフィルム、ポリウレタン、不飽和ポリエステル等を主体とする熱硬化性プラスチックフィルム、アクリル系ゴム、フッ素系ゴム等の樹脂中から、前記透明基材シート１に使用される樹脂に対して相溶性の低い樹脂（同質でない樹脂）を選択使用するものである。
　【０００８】
　また、本発明における前記剥離性透明樹脂層２としては、固化状態において脆弱性を備える透明樹脂が使用され、例えば、比較的低重合度のポリビニルアルコール、アクリル、ポリスチレン、ポリ塩化ビニル、塩化ビニル−酢酸ビニル共重合体、ニトロセルロース、アセチルセルロース、セルロースアセテートブチレート、若しくはこれらの樹脂複合系の透明な紫外線硬化型ポリマー樹脂若しくは同電子線硬化型ポリマー樹脂等、又は低重合度の不飽和ポリエステル、ウレタン、メラミン、エポキシ系の透明な熱硬化型ポリマー樹脂等、あるいはポリピニルアルコール、アクリル、ポリスチレン、ポリ塩化ビニル、若しくはこれらの樹脂複合系の紫外線硬化型モノマー樹脂若しくは同電子線硬化型モノマー樹脂等、又はポリエステル系、ウレタン系の熱硬化性モノマー樹脂等、あるいはアマニ油など乾性油系の透明ニス、シリコーン樹脂、フッ素系樹脂、パラフィンワックス等が使用できる。
　【０００９】
　前記剥離性透明樹脂層２を介してホログラム層３が積層され、該ホログラム層３は、その層の少なくとも片面の全面、若しくは部分に、レーザー光（Ｈｅ−Ｎｅガスレーザー、Ａｒガスレーザー等による無限遠平行光）にてホログラム画像を再生可能なホログラムエンボス面３ａを備え、インコヒーレント光によりホログラム画像を再生可能なホログラムエンボス面３ａ、又はフレネルホログラフィー方式、又はフーリエ変換ホログラフィー方式により撮影されたコヒーレント光にてホログラム画像を再生可能なホログラムエンボス面３ａが、ホログラム干渉光により得られる干渉縞状の凹凸エンボスパターンとして形成されている。
　【００１０】
　ホログラムエンボス面３ａには、光反射性の透明な（透明にほぼ近い）蒸着層４が形成されており、該蒸着層４は、ホログラム層３表面にアルミニウム等の金属単体、若しくは合金、硫化亜鉛（ＺｎＳ）等の金属硫化物、金属窒化物、酸化チタン（ＴｉＯ）等の金属酸化物の蒸着（真空蒸着法、スパッタリング法、イオンプレーティング法による例えば蒸着膜厚３００Å〜１０００Åの金属蒸着）を施すか、又はメッキ法を施すことにより形成され、光反射性の透明な蒸着層４を得る。
　【００１１】
　なお前記ホログラム層３面に施される前記ホログラムエンボス面３ａ及びエンボス面３ａに施される光反射性の透明な蒸着層４は、一実施例においては、図１に示すように剥離性透明樹脂層２とは反対側のホログラム層３面に形成されているが、その他に、例えば
図２に示すように、剥離性透明樹脂層２側の前記ホログラム層３表面に
　【００１２】
　該ホログラム層３を構成する樹脂は、ポリ塩化ビニル、ポリスチレン、ポリエチレン、ポリプロピレン、ポリカーボネート、アクリル、飽和ポリエステル等、あるいはこれらの複合樹脂等の熱可塑性プラスチックフィルム、若しくはポリウレタン、不飽和ポリエステル等を主体とする熱硬化性プラスチックフィルム、又はアクリル系ゴム、フッ素系ゴム等の樹脂中より、前記透明基材シート１の構成樹脂に使用されている樹脂とは異質の樹脂が用いられ、なるべく成型性の良好な飽和ポリエステル、アクリル、ポリスチレン、ポリ塩化ビニル、ポリカーボネート、セルロースアセテートブチレート、ニトロセルロース、エチルセルロース、メチルセルロース等の樹脂、若しくはこれらの樹脂を主体とする透明樹脂の中から選択使用される。
　【００１３】
　図１、
図２
　【００１４】
　図３は、本発明シールＳを写真Ｐの上に重ね合わせて、身分証明書など所定の書類
１４
　【００１５】
　図３に示すように、本発明における前記ホログラム層３は、透明基材シート１側より入射したインコヒーレント光（自然光、白色光等）、又はコヒーレント光Ｌ（レーザー光）がホログラムエンボス面３ａを透して光反射性の透明蒸着層４で反射してホログラム干渉光Ｌａを形成し、再度、剥離性透明樹脂層２を透して透明基材シート１外側に出射し、その出射光を観察することによってホログラム画像が観察されるものであり、観察されるホログラム画像は、剥離性透明樹脂層２の透明度によってその画像のシャープ性が変化する。
　【００１６】
　また図３において、本発明シールＳの透明基材シート１表面の一部分、若しくは全面には白色光や自然光等のインコヒーレントな可視光の照明によって観察可能なデータ情報１７を表示した情報表示部１６を備えるようにしてもよく、例えば、データ情報１７は、直接透明基材シート１表面に表示するか、若しくは透明基材シート１表面に、印字用インキやペン等筆記具の着色液等に対して接着性、あるいは浸透性、あるいは筆記性のある情報表示部１６を形成しておくことは可能であり、接着性等のある該情報表示部１６は、透明基材シート１の表面に、樹脂アンカー剤、浸透性のあるカオリンやクレイなどの筆記適性のあるコート層を塗布することによって形成してもよいし、あるいは該透明基材シート１の一部表面に予め微細凹凸状の表面加工を施すようにしてもよく、このような情報表示部１６に、適宜情報処理手段及び情報出力手段により制御される適宜印字手段にてバーコード、数字、文字等のデータ情報１７を印字することは可能である。
　【００１７】
　図４は、本発明シール
Ｓ
　【００１８】
　ホログラム画像読取手段２１は、ホログラム画像を再生するためのレーザー光又は白色光の再生用照明光Ｌをシール表面に照射するための照明部２１ａと、照明された照明光Ｌがホログラム層３を透して反射性の透明な蒸着層４にて反射して得られるホログラム干渉光Ｌａによって形成されるホログラム画像を平面画像（ホログラム画像は、三次元立体画像であれば、該画像を構成する前部画像、中間画像、後部画像のうちのいずれかの平面画像）として検出（該平面画像に焦点を合わせて検出、又は映写用の平面透過型スクリーンに投影して検出）する適宜レンズ光学系を備えたＣＣＤセンサー等の画像読取部２１ｂとを備える。
　【００１９】
　データ情報読取手段２２は、シール
Ｓ
　【００２０】
　読み取り検査の際は、真のホログラム画像を基準パターンとして、該パターンをシール検査手段の比較検査用メモリテーブルに予め記録しておき、シール検査手段２３を、シール
Ｓ
Ｓ
Ｓ
Ｓ
　【００２１】
　【作用】
　本発明のホログラム付き透明保護シールは、透明基材シート１の一面に、剥離性透明樹脂層２を介してホログラム層３と接着剤層５とを設けた透明保護シールであり、該シールＳを、接着剤層５を介して所定の書類面に顔写真や押印の上から被覆して接着することによって、写真の表面や、押印された書類表面を保護することができる。
　【００２２】
　また、所望の容器、封筒などの密封、封緘、閉蓋用のシールとして所定の物品に貼着して使用することも勿論可能である。
　【００２３】
　上記図１，図２に示す本発明のシールＳを、所定の被着体から剥離した場合には、脆弱性の剥離性透明樹脂層２が先ず凝集破壊して透明基材シート１とホログラム層３との間で剥離が生じ、あるいは、脆弱性はないがホログラム層３に対して接着性の弱い剥離性透明樹脂層２が先ずホログラム層３との間で剥離する。
　【００２４】
　したがって、本発明シールＳは、ホログラム層３から脆弱性の前記剥離性透明樹脂層２が一旦剥離されると、元に戻しても該剥離性透明樹脂層２内部は細かいクラックや破損を生じて透明性を失い、シール表面に照明されたホログラム画像再生用照明光Ｌ（レーザー光、自然光、白色光等のインコヒーレント又はコヒーレントな可視光）は、剥離性透明樹脂層２内部を透過する際に光の散乱を生じ、また、照明によってホログラム層３の光反射性の透明な蒸着層４で反射した反射ホログラム干渉光にも散乱を生じ、再生されるホログラム画像は明確な画像として確認が困難になり、再度接着しようとしても元の光学特性（透明性）に修復することは難しいため、剥離したことが容易に判明できる。
　【００２５】
　また、
図２に示す本発明の他の実施例のシールＳにおいては、
　【００２６】
　また、本発明シールＳは、その表面にデータ情報表示部１６が形成されているので、シール表面に、適宜データ情報１７を表示でき、書類作成日付や書類番号、密封シール、封緘シール、施蓋シール等の日付、製品番号などを表記することができる。なお、本発明のシールＳのホログラム層３に、コヒーレント可視光（レーザー可視光）による光線の照射によってはじめて再生可能なコヒーレント光再生型ホログラム層を採用した場合には、白色光、自然光など通常可視光の照明によって観察可能なデータ情報１７をダミー情報として利用して、セキュリティ性能を付与することができる。
　【００２７】
　また、本発明シールＳは、感圧接着剤や溶剤揮散型接着剤等の接着剤層５を介して、あるいはホログラム層３のホログラムエンボス層３ａを破壊しない程度の温度によって接着する感熱接着剤を介して適宜カード等の物品表面に貼着固定して表示用シート、セキュリティーシートとして使用することが可能である。
　【００２８】
　【発明の効果】
　本発明のホログラム付き透明保護シールは、書類に貼着された写真や押印された印影上に被覆接着してその表面を保護したり、封筒、容器等の封緘シールとして利用でき、画像再生照明光によってホログラム画像が得られる比較的模倣し難いホログラム層と、シールの剥離によって先ず剥離してホロクラム画像を破壊する剥離性透明樹脂層とをシール本体に内装してあり、該シールが本物であるか模倣品であるか、シールの剥離による顔写真等の不正貼り替えや不正開封の発生の有無等を容易に確認でき、即応的な確認対処ができる効果がある。
【図面の簡単な説明】
　【図１】
　本発明のホログラム付き透明保護シールの一実施例の側断面図である。
　【図２】
　
本発明のホログラム付き透明保護シールの他の実施例の側断面図である。
　【図３】
　本発明のホログラム付き透明保護シールを写真に被覆接着した状態を示す側断面図である。
　【図４】
本発明のホログラム付き透明保護シールを検査するための検査手段の概略側面図である。
　【図５】
　（ａ），（ｂ），（ｃ）は従来のホログラム付き透明保護シールの説明図である。
　【符号の説明】
　１…透明基材シート　２…剥離性透明樹脂層
　３…ホログラム層　３ａ…ホログラムエンボス面
　４…光反射性透明蒸着層　５…接着剤層
　１１…透明基材シート　１２…接着剤層　１３…被着体　１４…被着体
　１６…データ情報表示部　１７…データ情報
　２１…ホログラム画像読取手段　２１ａ…再生用照明部　２１ｂ…画像読取部
　２２…データ情報読取手段　２２ａ…照明部　２２ｂ…データ情報読取部
　２３…シール検査手段
　Ｌ０…入射光線　Ｌ…再生用照明光　Ｌａ…ホログラム干渉光
　Ｓ…透明保護シール　Ｐ…写真